(57)【要約】【課題】ホリゾントライトにおいて、隣接される他のホリゾントライトとの間の配線をすっきりさせる。【解決手段】ホリゾントライト１は、筐体２と、筐体２の前面２１の側端部２１ｂ、２１ｃから導出され、電源コード３ａ乃至３ｄ、４ａ乃至４ｄから成る受電用のコード群３及び送電用のコード群４とを備える。電源コード３ａ等、４ａ等は、隣接される他のホリゾントライトとの連接用のオス型プラグ３１及びメス型プラグ４１を有し、他のホリゾントライトの送電用のコード群とそれぞれのプラグを介して接続される。電源コード３ａ等、４ａ等のうち、他のホリゾントライトに近い方の電源コードは短く、遠い方の電源コードは長い。上記構成において、ホリゾントライト同士が連接されるときに、互いに近い方の電源コード同士を接続し、互いに遠い方の電源コード同士を接続することにより、他のホリゾントライトとの間の配線をすっきりさせることができる。【選択図】図２
2008130341.tif 000002
【特許請求の範囲】
【請求項１】
複数個の灯体を保持する筐体と、前記筐体の両側端部から導出され、隣接される他のホリゾントライトとの連接用のコネクタを有する複数本の電源コードから成る受電用及び送電用のコード群と、を備え、
前記受電用コード群は、他のホリゾントライトの送電用のコード群とそれぞれのコネクタを介して相互に接続されるホリゾントライトにおいて、
前記複数本の電源コードは、前記受電用及び送電用のコード群ごとに、前記筐体の長さ方向に並んで導出され、該複数本の電源コードのうち、隣接される他のホリゾントライトに近い方から導出された電源コードは短く、遠い方から導出された電源コードは長いことを特徴とするホリゾントライト。
【請求項２】
前記複数本の電源コードは、前記受電用及び送電用のコード群ごとに、前記筐体の側端から離れるにつれて順に長くなっていることを特徴とする請求項１に記載のホリゾントライト。
【請求項３】
前記コネクタは、他のコネクタと嵌合される凹凸部を有し、
前記送電用及び受電用のコード群ごとのコネクタ同士が前記凹凸部により連結し得ることを特徴とする請求項１又は請求項２に記載のホリゾントライト。
【発明の詳細な説明】
【技術分野】
【０００１】
本発明は、舞台を含む床面上に載置され、舞台等の後方に設けられたホリゾントに光を照射するホリゾントライトに関する。
【背景技術】
【０００２】
従来から、ホリゾントすなわち舞台等の後方に設けられた幕に光を照射するホリゾントライトとして、例えば、複数個の灯体を有するロアーホリゾントライトが知られている。図１２は、このロアーホリゾントライト１００Ａの構成を示す。このロアーホリゾントライト１００Ａは、灯体１１０ａ乃至１１０ｄ（以下、総称して灯体１１０という）及び灯体１２０ａ乃至１２０ｄ（以下、総称して灯体１２０という）を保持する筐体１３０を備える。灯体１１０、１２０のそれぞれの光出射口には、この光出射口を塞ぐようにカラーフィルタシート（不図示）が取り付けられる。このカラーフィルタシートの色により、出射光の色が決まる。
【０００３】
さらに、ロアーホリゾントライト１００Ａは、電源コード１４０ａ乃至１４０ｄで構成される受電用のコード群１４０と、電源コード１５０ａ乃至１５０ｄで構成される送電用のコード群１５０とを備える。ロアーホリゾントライト１００Ａから４色の光を出射させるため、コード群１４０、１５０のそれぞれの電源コード本数は４本である。コード群１４０は、筐体１３０の前面１３１で、且つ、その下端部１３１ａの図中左側端部１３１ｂから外部に導出されている。電源コード１４０ａ乃至１４０ｄは、コード長さが等しく、図中左側から筐体１３０の長さ方向に順に並んでおり、それぞれが、先端部にプラグ１４１を有する。このプラグ１４１は、隣接する他のロアーホリゾントライトと連接するためのものである。受電用のコード群１４０は、このロアーホリゾントライトにより送られた電力を、灯体１１０、１２０に供給する。一方、コード群１５０は、上記下端部１３１ａの図中右側端部１３１ｃから外部に導出されている。電源コード１５０ａ乃至１５０ｄは、コード長が電源コード１４０ａ乃至１４０ｄのそれと等しく、図中左側から筐体１３０の長さ方向に順に並んでおり、それぞれが、先端部にプラグ１５１を有する。このプラグ１５１は、上記とは別の他のロアーホリゾントライトと連接するためのものである。送電用のコード群１５０は、灯体１１０、１２０に供給された電力を、このロアーホリゾントライトへ送る。
【０００４】
図１３は、ロアーホリゾントライト１００Ａが、同じ構成を有するロアーホリゾントライト１００Ｂと隣接されている様子を示す。ロアーホリゾントライト１００Ｂにおける電源コード１５０ａ乃至１５０ｄのうち、電源コード１５０ａは、プラグ１５１とプラグ１４１とを介して、電源コード１４０ａと接続される。同様に、電源コード１５０ｂ乃至１５０ｄは、電源コード１４０ｂ乃至１４０ｄと接続される。
【０００５】
図１４は、ロアーホリゾントライト１００Ａの使用例を示す。ロアーホリゾントライト１００Ａの載置場所は、舞台５０等の床面５０ａ上で、且つ、ホリゾント６０近傍である。所定の場所に載置されたロアーホリゾントライト１００Ａは、ホリゾント６０に対して均一に光（破線矢印で示す）を出射する。演技者Ｐは、床面５０ａ上で、且つ、ロアーホリゾントライト１００Ａの背面側で演技する。観客Ｇは舞台５０前方から演技者Ｐを観る。
【０００６】
また、上記の構成に加えて、光出射口を覆い、カラーフィルタシートのシート枠を着脱可能に保持するシート枠台を備えたロアーホリゾントライトが知られている（例えば、特許文献１参照）。このシート枠台は、斜め上向き方向に進退可能に筐体に取り付けられる。
【特許文献１】実開昭６３−１５０４０８号公報
【発明の開示】
【発明が解決しようとする課題】
【０００７】
従来のロアーホリゾントライト１００Ａと、これに隣接されるロアーホリゾントライト１００Ｂとにおいては、電源コードのコード長が等しい。また、ロアーホリゾントライト１００Ａにおいてロアーホリゾントライト１００Ｂに近い方の電源コードと、ロアーホリゾントライト１００Ｂにおいてロアーホリゾントライト１００Ａから遠い方の電源コードとが接続される。そして、ロアーホリゾントライト１００Ａにおいてロアーホリゾントライト１００Ｂから遠い方の電源コードと、ロアーホリゾントライト１００Ｂにおいてロアーホリゾントライト１００Ａに近い方の電源コードとが接続される。このため、隣接されるロアーホリゾントライト１００Ａ、１００Ｂ間の配線が煩雑になり、配線の見栄えが悪かった。また、特許文献２に記載の技術においては、灯体のワット数に応じてシート枠台を移動させることにより、カラーフィルタシートの寿命を向上させることやロアーホリゾントライトを目立たなくすることはできたが、隣接される他のロアーホリゾントライトとの間の配線をすっきりさせることはできなかった。
【０００８】
本発明は、上記の従来の問題を解決するためになされたものであり、隣接される他のホリゾントライトとの間の配線をすっきりさせることができるホリゾントライトを提供することを目的とする。
【課題を解決するための手段】
【０００９】
上記目的を達成するために請求項１の発明は、複数個の灯体を保持する筐体と、前記筐体の両側端部から導出され、隣接される他のホリゾントライトとの連接用のコネクタを有する複数本の電源コードから成る受電用及び送電用のコード群と、を備え、前記受電用コード群は、他のホリゾントライトの送電用のコード群とそれぞれのコネクタを介して相互に接続されるホリゾントライトにおいて、前記複数本の電源コードは、前記受電用及び送電用のコード群ごとに、前記筐体の長さ方向に並んで導出され、該複数本の電源コードのうち、隣接される他のホリゾントライトに近い方から導出された電源コードは短く、遠い方から導出された電源コードは長いものである。
【００１０】
請求項２の発明は、請求項１に記載のホリゾントライトにおいて、前記複数本の電源コードは、前記受電用及び送電用のコード群ごとに、前記筐体の側端から離れるにつれて順に長くなっているものである。
【００１１】
請求項３の発明は、請求項１又は請求項２に記載のホリゾントライトにおいて、前記コネクタは、他のコネクタと嵌合される凹凸部を有し、前記送電用及び受電用のコード群ごとのコネクタ同士が前記凹凸部により連結し得るものである。
【発明の効果】
【００１２】
請求項１の発明によれば、他のホリゾントライトが連接されるとき、互いに近い方の電源コード同士を接続し、遠い方の電源コード同士を接続することにより、隣接される他のホリゾントライトとの間の配線をすっきりさせることができる。
【００１３】
請求項２の発明によれば、請求項１の発明と比べて、上記の配線をよりすっきりさせることができる。
【００１４】
請求項３の発明によれば、コネクタが散乱して重なることを防ぐことができるので、コネクタの重なりによるホリゾントへのコードやコネクタの投影を防止できる。
【発明を実施するための最良の形態】
【００１５】
本発明の第１の実施形態に係るホリゾントライトについて図１及び図３を参照して説明する。図１は、ホリゾントライト１の使用態様を示す。ホリゾントライト１は、ロアーホリゾントライトであり、舞台を含む床面上に載置され、同じ構成を有する複数個（同図では２個示しているが、３個以上であってもよい）の他のホリゾントライト１Ｂと隣接され、且つ、相互に電気的に接続した状態で使用される。ホリゾントライト１Ａ、１Ｂは、相互に接続されるため、受電用のコード群３と、送電用のコード群４と、を備える。以下、ロアーホリゾントライトをホリゾントライトという。
【００１６】
図２は、１つのホリゾントライト１Ａの構成を示す。ホリゾントライト１Ａは、光源である灯体１１ａ乃至１１ｄ（以下、総称して灯体１１という）及び灯体１２ａ乃至１２ｄ（以下、総称して灯体１２という）と、灯体１１、１２の光出射口が斜め上向きとなるようにこれらの灯体１１、１２を保持する筐体２と、を備える。灯体１１、１２のそれぞれの光出射口には、この光出射口を塞ぐようにカラーフィルタシート（不図示）が取り付けられる。このカラーフィルタシートの色により、出射光の色が決まる。さらに、ホリゾントライト１Ａは、電源コード３ａ乃至３ｄから成る受電用のコード群３と、電源コード４ａ乃至４ｄから成る送電用のコード群４と、を備える。ホリゾントライト１Ａから４色の光を出射させるため、コード群３、４のそれぞれの電源コード本数は４本である。コード群３、４は、筐体２における光出射方向の前面２１の両側端部から外部に導出されている。電源コード３ａ乃至３ｄのそれぞれは、先端部にオス型プラグ３１を有し、電源コード４ａ乃至４ｄのそれぞれは、先端部にメス型プラグ４１を有する。オス型プラグ３１及びメス型プラグ４１は、ホリゾントライト１Ａを、隣接される他のホリゾントライト１Ｂと連接するためのコネクタである。以下、ホリゾントライト１Ａの構成を詳細に説明する。
【００１７】
灯体１１、１２は、例えばハロゲン電球を内装している。ハロゲン電球を用いることにより、ホリゾントを高照度で均一に照らすことができる。灯体１１、１２の個数は、図示されているように、例えば８個である。灯体１１ａ乃至１１ｄ、１２ａ乃至１２ｄは、筐体２の長さ方向に、図中左側から順に並んでいる。
【００１８】
ここで、灯体１１、１２のうち灯体１２ａを例に挙げ、灯体１１、１２のそれぞれの光出射口近傍に設けられる部品について説明する。灯体１２ａの光出射口は不図示のカラーフィルタシート（以下、シートという）により塞がれる。このシートの色により、出射光の色が決まる。シートにより灯体１２ａの光出射口が塞がれるようにこのシートを保持するシート枠２２が、筐体２の前面２１に固定されている。このシート枠２２は、灯体１２ａの光出射口に限らず、灯体１１、１２のそれぞれの光出射口近傍に１つずつ固定されており、これらのシート枠２２のそれぞれにはシートが保持されている。これらのシートの色には、赤、青、黄、緑が含まれ、例えば、赤色のシートが灯体１１ａ、１２ａの光出射口を塞ぎ、青色のシートが灯体１１ｂ、１２ｂの光出射口を塞ぐように配置されている。また、黄色のシートが灯体１１ｃ、１２ｃの光出射口を塞ぎ、緑色のシートが灯体１１ｄ、１２ｄの光出射口を塞ぐように配置されている。
【００１９】
受電用のコード群３と、送電用のコード群４とは、筐体２の前面２１、すなわち、ホリゾントライト１Ａ使用時において観客から見て背面となる面の下端部２１ａから導出されている。コード群３ａは上記下端部２１ａの図中左側端部２１ｂから導出され、コード群４ａは上記下端部２１ａの図中右側端部２１ｃから導出されている。コード群３、４を構成する電源コード３ａ乃至３ｄ、４ａ乃至４ｄ（以下、電源コード３ａ等という）は、コード群３、４ごとに、筐体２の長さ方向に並んで導出されている。電源コード３ａ乃至３ｄは、筐体２の図中左側端２ａ側から順に並んでいる。電源コード４ａ乃至４ｄは、筐体２の図中右側端２ｂ側から、電源コード４ｄ乃至４ａの順で並んでいる。電源コード３ａ等は、例えばキャプタイヤケーブルで構成される。
【００２０】
電源コード３ａ等のうち、隣接される他のホリゾントライト１Ｂに近い方から導出された電源コードは短く、遠い方から導出された電源コードは長い。例えば、電源コード３ａ、３ｂと電源コード４ｃ、４ｄのコード長は、電源コード３ｃ、３ｄと電源コード４ａ、４ｂのコード長より短い。電源コード３ｃ、３ｄ、４ａ、４ｂのコード長は略等しく、電源コード３ａ、３ｂ、４ｃ、４ｄのコード長は略等しい。
【００２１】
図３は、ホリゾントライト１Ａの電気的構成を示す。電源コード３ａ等のうち、電源コード３ａは、オス型プラグ３１により接続された他のホリゾントライト１Ｂから送られてきた電力を、灯体１１ａ、１２ａに供給する。同様に、電源コード３ｂは灯体１１ｂ、１２ｂに、電源コード３ｃは灯体１１ｃ、１２ｃに、電源コード３ｄは灯体１１ｄ、１２ｄに電力を供給する。上記構成おいては、例えば、光出射口２１ａ、２２ａを赤色のシートで塞ぎ、電源コード３ａを介して灯体１１ａ、１２ａに電力を供給した場合、灯体１１ａ、１２ａから出射された光は赤色のシートにより赤色光となり、この赤色光がホリゾントライト１Ａから出射される。このように、電源コード３ａ等のうち、電力を供給する電源コードを選択することにより、ホリゾントライト１Ａから出射させる光の色を制御できる。
【００２２】
電源コード４ａ等のうち、電源コード４ａは、灯体１１ａ、１２ａに供給された電力を、メス型プラグ４１により接続された上記とは別の他のホリゾントライト１Ｂへ送る。同様に、電源コード４ｂは灯体１１ｂ、１２ｂに供給された電力を、電源コード４ｃは灯体１１ｃ、１２ｃに供給された電力を、電源コード４ｄは灯体１１ｄ、１２ｄに供給された電力を他のホリゾントライト１Ｂへ送る。このようにして、電源コード４ａ等は送り配線として機能する。
【００２３】
図４（ａ）（ｂ）は、オス型プラグ３１の構成を示す。このオス型プラグ３１は、プラグボディ３１ａと、このプラグボディ３１ａから突出した電極３１ｂとを備える。プラグボディ３１ａは、他のオス型プラグ３１と嵌合される凹凸部を備える。この凹凸部は、プラグボディ３１ａの上面に形成された凸部３１ｃと、プラグボディ３１ａの下面に形成された凹部３１ｄとで構成される。凸部３１ｃの形状は凹部３１ｄの形状と対応しており、これらの平面視形状は例えば円形である。この凹部３１ｄには、他のオス型プラグ３１の凸部３１ｃが嵌合される。従って、コード群３、４ごとに、オス型プラグ３１同士を上記の凹凸部により連結することができる。
【００２４】
図５（ａ）（ｂ）は、メス型プラグ４１の構成を示す。このメス型プラグ４１は、オス型プラグ３１の電極３１ｂが指し込まれるプラグボディ４１ａと、プラグボディ４１ａ内部に配置され、電極３１ｂと当接する電極（不図示）とを備える。プラグボディ４１ａは、他のメス型プラグ４１と嵌合される凹凸部を備える。この凹凸部は、プラグボディ４１ａの上面に形成された凸部４１ｃと、プラグボディ４１ａの下面に形成された凹部４１ｄとで構成される。凸部４１ｃの形状は凹部４１ｄの形状と対応しており、これらの平面視形状は例えば円形である。この凹部４１ｄには、他のメス型プラグ４１の凸部４１ｃが嵌合される。従って、コード群３、４ごとに、メス型プラグ４１同士を上記の凹凸部により連結することができる。
【００２５】
図６は、オス型プラグ３１がメス型プラグ４１に挿し込まれ、さらに、オス型プラグ３１同士及びメス型プラグ４１同士が連結されている様子を示す。オス型プラグ３１の凸部３１ｃは、他のオス型プラグ３１の下方から、このオス型プラグ３１の凹部３１ｄに嵌合される。同様に、メス型プラグ４１の凸部４１ｃは、他のメス型プラグ４１の下方から、このメス型プラグ４１の凹部４１ｄに嵌合される。このように、オス型プラグ３１同士及びメス型プラグ４１同士は、上下方向に連結されて積み上げられる。従って、ホリゾントライト１Ａと、隣接される他のホリゾントライト１Ｂとが連接されている状態で、すなわち、オス型プラグ３１とメス型プラグ４１とが接続されている状態で、オス型プラグ３１やメス型プラグ４１が散乱して重なることを防ぐことができる。その結果、電源コード３ａ等、オス型プラグ３１又はメス型プラグ４１が出射光路内に侵入することを防ぐことができる。このため、これらがホリゾントに投影されることを防止できる。
【００２６】
図７（ａ）は、上記実施形態のオス型プラグ３１の変形例を示す。このオス型プラグ３１のプラグボディ３１ａは、外側面に、他のオス型プラグ３１と嵌合される凹凸部を備える。この凹凸部は、プラグボディ３１ａの図中下方の外側面に形成された凸部３１ｃと、プラグボディ３１ａの図中上方の側面に形成された凹部３１ｄとで構成される。凸部３１ｃの形状は凹部３１ｄの形状と対応している。凸部３１ｃの平面視形状は略円形であり、凹部３１ｄの平面視形状は、側方が切欠されたＣ字状である。この凹部３１ｄには、他のオス型プラグ３１の凸部３１ｃが嵌合される。この凸部３１ｃ及び凹部３１ｄの形状によれば、凸部３１ｃを凹部３１ｄから抜け難くすることができる。
【００２７】
図７（ｂ）は、上記実施形態のメス型プラグ４１の変形例を示す。このメス型プラグ４１のプラグボディ４１ａは、外側面に、他のメス型プラグ４１と嵌合される凹凸部を備える。この凹凸部は、プラグボディ４１ａの図中下方の外側面に形成された凸部４１ｃと、プラグボディ４１ａの図中上方の側面に形成された凹部４１ｄとで構成される。凸部４１ｃの形状は凹部４１ｄの形状と対応している。凸部４１ｃの平面視形状は略矩形であり、凹部３１ｄの平面視形状は、側方が切欠されたコの字状である。この凹部４１ｄには、他のメス型プラグ４１の凸部４１ｃが嵌合される。
【００２８】
図８は、図７（ａ）（ｂ）に図示されたオス型プラグ３１同士及びメス型プラグ４１同士が連結されている様子を示す。オス型プラグ３１の凸部３１ｃは、他のオス型プラグ３１の側方から、このオス型プラグ３１の凹部３１ｄに嵌合される。同様に、メス型プラグ４１の凸部４１ｃは、他のメス型プラグ４１の側方から、このメス型プラグ４１の凹部４１ｄに嵌合される。このように、オス型プラグ３１同士及びメス型プラグ４１同士は、側方に連結される。本変形例においても、上記実施形態と同様に、ホリゾントへの電源コード３ａ乃至３ｄ等の投影を防止できる効果が得られる。
【００２９】
図９は、ホリゾントライト１Ａが、隣接される他のホリゾントライト１Ｂと連接されている様子を示す。このホリゾントライト１Ｂは、ホリゾントライト１Ａと同じ構成を有している。ホリゾントライト１Ａとホリゾントライト１Ｂとは、連接時に側面が当接される。互いに近い電源コード３ａ、３ｂと電源コード４ｃ、４ｄのコード長は、互いに遠い電源コード３ｃ、３ｄと電源コード４ａ、４ｂのコード長より短い。電源コード３ａ、３ｂ、４ｃ、４ｄのコード長は略等しい。また、電源コード３ｃ、３ｄ、４ａ、４ｂのコード長は略等しい。
【００３０】
電源コード４ａ乃至４ｄのうち、電源コード４ａは、メス型プラグ４１とオス型プラグ３１とを介して、電源コード３ｄと接続される。同様に、電源コード４ｂは電源コード３ｃと、電源コード４ｃは電源コード３ｂと、電源コード４ａは電源コード３ａと接続される。このとき、例えば、電源コード３ｃ、３ｄのオス型プラグ３１同士が上下方向に連結され、電源コード４ａ、４ｂのメス型プラグ４１同士が上下方向に連結される。同様に、電源コード３ａ、３ｂのオス型プラグ３１同士が連結され、電源コード４ｃ、４ｄのメス型プラグ４１同士が連結される。オス型プラグ３１同士及びメス型プラグ４１同士が上下方向に２個ずつ連結されるので、電源コード３ａ等、オス型プラグ３１又はメス型プラグ４１がホリゾントに投影されることを防止することができる。
【００３１】
このように、ホリゾントライト１Ａとホリゾントライト１Ｂとが連接されるとき、互いに近く且つ短い方の電源コード同士、すなわち、電源コード３ａ、３ｂと電源コード４ｃ、４ｄとが接続される。また、互いに遠く且つ長い方の電源コード同士、すなわち、電源コード３ｃ、３ｄと電源コード４ａ、４ｂとが接続される。さらに、オス型プラグ３１同士及びメス型プラグ４１同士が連結される。従って、電源コード３ａ等や、オス型プラグ３１、メス型プラグ４１の散乱を防止できる。その結果、ホリゾントライト１Ａとホリゾントライト１Ｂとの間の配線をすっきりさせることができる。
【００３２】
次に、本発明の第２の実施形態に係るホリゾントライトについて図１０及び図１１を参照して説明する。図１０は、第２の実施形態に係るホリゾントライト１Ａの構成を示す。同図において、第１の実施形態に係るホリゾントライト１Ａと同じ構成を有する部材には同一の符号が付されている。本実施形態に係るホリゾントライト１Ａは、第２の実施形態の構成と比べて、電源コード３ａ等のコード長が異なる。
【００３３】
電源コード３ａ乃至３ｄは、筐体２の図中左側端２ｂから電源コード３ａ乃至３ｄの順に並んで導出されており、左側端２ｄから離れるにつれて順に長くなっている。また、電源コード４ａ乃至４ｄは、筐体２の図中右側端２ｂから電源コード４ｄ乃至４ａの順に並んで導出されており、右側端２ｂから離れるにつれて順に長くなっている。
【００３４】
図１１は、ホリゾントライト１Ａが、隣接される他のホリゾントライト２と連接されている様子を示す。このホリゾントライト１Ｂは、ホリゾントライト１Ａと同じ構成を有している。
【００３５】
電源コード４ａ乃至４ｄのうち、電源コード４ａは、メス型プラグ４１とオス型プラグ３１とを介して、電源コード３ｄと接続される。同様に、電源コード４ｂは電源コード３ｃと、電源コード４ｃは電源コード３ｂと、電源コード４ａは電源コード３ａと接続される。このように、ホリゾントライト１Ａとホリゾントライト１Ｂとが連接されるとき、互いに最も近く且つ短い電源コード同士、すなわち、電源コード３ａと電源コード４ｄとが接続される。また、互いに最も遠く且つ長い電源コード同士、すなわち、電源コード３ｄと電源コード４ａとが接続される。同様に、互いに２番目に近く且つ短い電源コード同士が、また、互いに３番目に近く且つ短い電源コード同士が接続される。従って、電源コード３ａ乃至３ｄ、４ａ乃至４ｄが重なることを防ぐことができ、電源コード３ａ等や、オス型プラグ３１、メス型プラグ４１がホリゾントに投影されることを防止できる。さらに、ホリゾントライト１Ａとホリゾントライト１Ｂとの間の配線を、上記第１の実施形態と比べて、よりすっきりさせることができる。
【００３６】
なお、第２の実施形態のホリゾントライト１Ａにおいて、電源コード３ｂ、３ｄ、４ｂ、４ｄのコード長を短くして、電源コード３ｂ、４ｂのコード長を電源コード３ａ、４ａのそれと略等しくし、また、電源コード３ｄ、４ｄのコード長を電源コード３ｃ、４ｃのそれと略等しくすることにより、第１の実施形態のホリゾントライト１Ａを作製できる。従って、第２の実施形態のホリゾントライト１Ａにおいては、全体のコード長を、第１の実施形態のそれと比較して、短くできるので、コスト削減を図ることができる。
【００３７】
本発明は、上記の第１及び第２の実施形態の構成に限定されるものでなく、使用目的に応じ、様々な変形が可能である。例えば、灯体１１、１２の数は、８個に限定されず、何個であってもよい。また、コード群３は図中右側端部２ｂから、またコード群４は図中左側端部２ａから導出されていてもよい。また、受電用のコード群３の電源コード３１ａ〜３１ｄがメス型プラグ４１を有し、送電用のコード群４の電源コード４１ａ〜４１ｄがオス型プラグ３１を有していても構わない。また、凸部３１ｃ、４１ｃ及び凹部３１ｄ、４１ｄの平面視形状は、円形に限定されず、楕円形、三角形、矩形、多角形であってもよい。
【図面の簡単な説明】
【００３８】
【図１】本発明の第１の実施形態に係るホリゾントライトの使用態様を示す斜視図。
【図２】上記ホリゾントライトの１つを示す正面図。
【図３】上記ホリゾントライトの電気的構成を示す回路図。
【図４】（ａ）は上記ホリゾントライトのオス型プラグを示す側面図、（ｂ）はその平面図。
【図５】（ａ）は上記ホリゾントライトのメス型プラグを示す側面図、（ｂ）はその平面図。
【図６】上記オス型プラグ同士及びメス型プラグ同士が連結されている様子を示す側面図。
【図７】（ａ）は上記オス型プラグの変形例を示す平面図、（ｂ）は上記メス型プラグの変形例を示す平面図。
【図８】上記オス型プラグ同士及びメス型プラグ同士が連結されている様子を示す平面図。
【図９】上記ホリゾントライトが他のホリゾントライトと連接されている様子を示す正面図。
【図１０】本発明の第２の実施形態に係るホリゾントライトを示す正面図。
【図１１】上記ホリゾントライトが他のホリゾントライトと連接されている様子を示す正面図。
【図１２】従来のロアーホリゾントライトを示す正面図。
【図１３】上記ロアーホリゾントライトが他のロアーホリゾントライトと連接されている様子を示す正面図。
【図１４】上記ロアーホリゾントライトの使用例を示す図。
【符号の説明】
【００３９】
１、５  ホリゾントライト
１１ａ〜１１ｄ、１２ａ〜１２ｄ  灯体
２  筐体
２ａ、２ｂ、  側端
２１ｂ、２１ｃ  側端部
３  受電用のコード群
３ａ〜３ｄ  電源コード
３１  オス型プラグ（コネクタ）
３１ｃ  凸部（凹凸部）
３１ｄ  凹部（凹凸部）
４  送電用のコード群
４ａ〜４ｄ  電源コード
４１  メス型プラグ（コネクタ）
４１ｃ  凸部（凹凸部）
４１ｄ  凹部（凹凸部）
【図１】
2008130341.tif 000003
【図２】
2008130341.tif 000004
【図３】
2008130341.tif 000005
【図４】
2008130341.tif 000006
【図５】
2008130341.tif 000007
【図６】
2008130341.tif 000008
【図７】
2008130341.tif 000009
【図８】
2008130341.tif 000010
【図９】
2008130341.tif 000011
【図１０】
2008130341.tif 000012
【図１１】
2008130341.tif 000013
【図１２】
2008130341.tif 000014
【図１３】
2008130341.tif 000015
【図１４】
2008130341.tif 000016